(57)【特許請求の範囲】
【請求項１】
開口部から底部までの深さが異なる複数種類の財布の内部に収納して使用されるコインケースであって、
複数枚のコインを重ね合わせるように並べて収納可能に形成されているとともに、収納されたコインを取出し可能なように上部が開放されたコイン収納部と、
前記コイン収納部の下面から下方へ向けて突出し、財布の内部に収納された前記コイン収納部が財布の内部で回転しないようにするとともに、財布の内部において前記コイン収納部を財布の底部から所定の高さに位置させるための突出部と
を備え、
前記突出部は、塑性を有する材料を用いて形成されており、
前記突出部をその上端から下端までの間の所定位置で折り曲げることで、財布の底部からの前記コイン収納部の高さを調整可能であるとともに、調整後の高さを維持可能に形成されている
ことを特徴とするコインケース。
【請求項２】
請求項１において、
前記突出部は、その上端から下端までの間を蛇腹状に折り曲げられることで伸縮可能に形成されており、前記突出部を伸縮させることで、財布の底部からの前記コイン収納部の高さを調整可能に形成されている
ことを特徴とするコインケース。
【発明の詳細な説明】
【技術分野】
【０００１】
本発明は、財布の内部に収納して使用されるコインケースに関するものである。
【背景技術】
【０００２】
従来から、複数枚のコインを並べて収納可能なコインケースが種々提案されている（特許文献１〜４参照）。
【先行技術文献】
【特許文献】
【０００３】
【特許文献１】特開平１１−３４６８１３号公報
【特許文献２】特開２００１−１１８１１９号公報
【特許文献３】特開２００６−０３４９２７号公報
【特許文献４】特開２００８−１６１６６５号公報
【発明の概要】
【発明が解決しようとする課題】
【０００４】
しかし、上記特許文献１〜４のコインケースは、いずれも、財布の内部に収納すると、財布の底部に位置することとなる。
このため、開口部から底部までの距離（深さ）が長い（深い）財布の内部にコインケースを収納すると、コインケースに収納されたコインを財布の開口部から取り出しにくくなってしまう。
【０００５】
また、財布の内部にコインケースを収納して持ち運ぶと、財布の内部でコインケースが回転してしまうことがある。
この場合、コインケースに収納されたコインを財布の開口部から取り出しにくくなってしまうのみならず、コインケースからコインが飛び出して、財布の内部にばら撒かれてしまうこともある。
これでは、コインケースにコインを収納して、これを財布の内部に収納した意味がなくなってしまう。
【０００６】
一方、上記特許文献３に開示されているように、コインケースの大きさ合った財布（ソフトケース）の内部にコインケースを収納することが考えられる。
しかし、この場合、コインケースを収納して使用する財布の種類が限られてしまうこととなる。
【０００７】
したがって、本発明が解決しようとする課題は、開口部から底部までの深さが異なる複数種類の財布の内部に収納して使用しても、財布の開口部からコインを取り出しやすく、かつ財布の内部に収納した状態で持ち運んでも、財布の内部で回転しないコインケースを提供することである。
【課題を解決するための手段】
【０００８】
（請求項１）
請求項１記載の発明は、
開口部１１から底部１２までの深さが異なる複数種類の財布１０の内部に収納して使用されるコインケース２０であって、
複数枚のコインを重ね合わせるように並べて収納可能に形成されているとともに、収納されたコインを取出し可能なように上部が開放されたコイン収納部３０と、
前記コイン収納部３０の下面から下方へ向けて突出し、財布１０の内部に収納された前記コイン収納部３０が財布１０の内部で回転しないようにするとともに、財布１０の内部において前記コイン収納部３０を財布１０の底部１２から所定の高さに位置させるための突出部４０と
を備え、
前記突出部４０は、塑性を有する材料を用いて形成されており、
前記突出部４０をその上端から下端までの間の所定位置で折り曲げることで、財布１０の底部１２からの前記コイン収納部３０の高さを調整可能であるとともに、調整後の高さを維持可能に形成されている
ことを特徴とするコインケース２０である。
【００１０】
（請求項２）
請求項２の発明は、請求項１において、
前記突出部４０は、その上端から下端までの間を蛇腹状に折り曲げられることで伸縮可能に形成されており、前記突出部４０を伸縮させることで、財布１０の底部１２からの前記コイン収納部３０の高さを調整可能に形成されている
ことを特徴とするコインケース２０である。
【００１１】
本発明は、開口部１１から底部１２までの深さが異なる複数種類の財布１０の内部に収納して使用されるコインケース２０に係るものである。
「財布１０」として、例えば、袋状のものや、がま口状のものを挙げることができる。
「開口部１１」とは、財布１０の開口部１１を意味する。この開口部１１は、例えば、財布１０の上部に設けられる。そして、この開口部１１を介して、財布１０の内部にコインを収納したり、財布１０の内部に収納されたコインを取り出す。例えば、がま口状の財布１０の場合、口金の部分が、開口部１１に相当する。また、例えば、袋状の財布１０の上部にファスナーが設けられ、このファスナーを開閉することで、財布１０を開け閉めする場合、ファスナーの部分が、開口部１１に相当する。
「底部１２」とは、財布１０の内部の底部１２を意味する。
【００１２】
「コイン収納部３０」は、複数枚のコインを重ね合わせるように並べて収納可能に形成されている部分をいう。このコイン収納部３０は、収納されたコインを取出し可能なように、上部が開放された形状に形成されている。
「突出部４０」は、コイン収納部３０の下面から下方へ向けて突出する部分をいう。この突出部４０により、財布１０の内部に収納されたコイン収納部３０が財布１０の内部で回転しないようにするとともに、財布１０の内部においてコイン収納部３０を財布１０の底部１２から所定の高さに位置させるようにしている。
【００１３】
ここで、突出部４０は、例えば、可撓性を有する材料を用いて形成することができる。
また、可撓性を有する材料として、例えば、厚さが０．５ｍｍ〜１．０ｍｍ程度の塩化ビニル等の合成樹脂製のシートを用いることができる。
この場合、突出部４０を、その上端から下端までの間の所定位置で折り曲げたり、下端側から上端側へ向けて所定位置まで巻き上げることで、財布１０の底部１２からのコイン収納部３０の高さを調整可能とすることができる。
また、突出部４０を塩化ビニル等の合成樹脂製のシート等で形成すると、突出部４０は、はさみ又はカッターで切断可能とすることができる。
この場合、突出部４０を、その上端から下端までの間の所定位置で切断することで、財布１０の底部１２からのコイン収納部３０の高さを調整可能とすることができる。
なお、突出部４０を巻き上げる又は切断する「所定位置」としては、例えば、上下の中間位置、又はコイン収納部３０が財布１０の開口部１１のすぐ下に位置することとなる位置などを挙げることができる。
【００１４】
また、突出部４０は、例えば、塑性を有する材料を用いて形成することができる。
さらに、塑性を有する材料として、例えば、厚さが０．５ｍｍ程度の２枚の塩化ビニール等の合成樹脂製のシートを重ね合わせるとともに、これらの間にスチール又はステンレス等の金属製の多数のワイヤーを並べて配置し、これらが分離しないように接着剤等で一体化したものを挙げることができる。
また、２枚の合成樹脂製のシートの間に、金属製の多数のワイヤーを並べて配置することに代えて、金属製の薄い板を配置してもよい。
さらに、並列配置した金属製の多数のワイヤー又は金属製の薄い板を内蔵した合成樹脂製のシートを、一体成型により形成してもよい。
【００１５】
そして、塑性を有する材料を用いて突出部４０を形成した場合には、突出部４０をその上端から下端までの間の所定位置で折り曲げることで、財布１０の底部１２からのコイン収納部３０の高さを調整可能にすることができ、さらには、調整後の高さを維持可能にすることができる。
なお、突出部４０を折り曲げる「所定位置」としては、例えば、上下の中間位置、又はコイン収納部３０が財布１０の開口部１１のすぐ下に位置することとなる位置などを挙げることができる。
また、塑性を有する材料を用いて突出部４０を形成した場合には、突出部４０の上端から下端までの間を蛇腹状に折り曲げることで、突出部４０を伸縮可能にすることができる。この場合、蛇腹状の突出部４０を伸縮させることで、財布１０の底部１２からのコイン収納部３０の高さを調整可能にすることができる。
【発明の効果】
【００１６】
本発明によれば、開口部から底部までの深さが異なる複数種類の財布の内部に収納して使用しても、財布の開口部からコインを取り出しやすく、かつ財布の内部に収納した状態で持ち運んでも、財布の内部で回転しないコインケースを提供することができる。
【図面の簡単な説明】
【００１７】
【図１】第１実施形態に係るコインケース２０を示す斜視図である。
【図２】第１実施形態に係るコインケース２０、及びこれを立てるためのスタンド５０を示す斜視図である。
【図３】第２実施形態に係るコインケース２０を示す斜視図である。
【図４】他の実施形態に係るコインケース２０を示す斜視図である。
【図５】他の実施形態に係るコインケース２０を示す斜視図である。
【図６】他の実施形態に係るコインケース２０を示す斜視図である。
【図７】他の実施形態に係るコインケース２０を示す斜視図である。
【図８】他の実施形態に係るコインケース２０を示す斜視図である。
【発明を実施するための形態】
【００１８】
（第１実施形態）
本発明の第１実施形態を、図１及び図２に基づいて説明する。
本実施形態に係るコインケース２０は、開口部１１から底部１２までの深さが異なる複数種類の財布１０の内部に収納して使用されるものである。
図１に示すように、本実施形態では、コインケース２０は、複数枚のコインを重ね合わせるように並べて収納可能に形成されているコイン収納部３０と、コイン収納部３０の下面から下方へ向けて突出する平板状の突出部４０とを備えている。
また、コイン収納部３０は、収納されたコインを取出し可能なように、上部が開放された形状に形成されている。
また、突出部４０は、財布１０の内部に収納されたコイン収納部３０が財布１０の内部で回転しないようにするとともに、財布１０の内部においてコイン収納部３０を財布１０の底部１２から所定の高さに位置させるためのものである。
【００１９】
以下更に、本実施形態に係るコインケース２０について詳述する。
コイン収納部３０は、半円筒状又は雨樋状の周面部３１と、周面部３１の両端をそれぞれ塞ぐ半円板状の２枚の端面板３２と、周面部３１の内部を仕切る５枚の仕切板３３とを備えている。
周面部３１、端面板３２及び仕切板３３には、厚さが１．０ｍｍ程度の合成樹脂（塩化ビニル）製のシートを用いている。すなわち、周面部３１は、合成樹脂製のシートを矩形にカットし、これを半円筒状又は雨樋状に曲げたものである。このため、周面部３１は、その下面が、平坦ではなく、円弧状（ラウンド状）となっている。また、端面板３２及び仕切板３３は、いずれも、合成樹脂製のシートを半円板状にカットしたものである。
【００２０】
また、２枚の端面板３２、及び５枚の仕切板３３は、いずれも、周面部３１の長手方向の軸に対して直交するように配置されている。
さらに、周面部３１と、各端面板３２及び各仕切板３３との接合には、接着剤を用いている。
このように、周面部３１の内部を５枚の仕切板３３で仕切ることにより、第１実施形態では、コイン収納部３０は、第１〜第６までの６つの収納領域３４を有している。
これにより、例えば、第１収納領域３４には１円玉を、第２収納領域３４には５円玉を、第３収納領域３４には１０円玉を、第４収納領域３４には５０円玉を、第５収納領域３４には１００円玉を、第６収納領域３４には５００円玉を、それぞれ収納することができる。
突出部４０は、コイン収納部３０と同様に、厚さが１．０ｍｍ程度の合成樹脂（塩化ビニル等）製のシートを用いて形成されている。すなわち、突出部４０は、合成樹脂製のシートを矩形にカットしたものである。このため、突出部４０は、可撓性を有する。
また、突出部４０とコイン収納部３０（周面部３１の下面）との接合には、接着剤を用いている。
【００２１】
そして、コインケース２０を財布１０の内部に収納すると、突出部４０の下端（コイン収納部３０とは反対側の端部）が、財布１０の底部１２に突き当たる。これにより、財布１０の内部において、コイン収納部３０を財布１０の底部１２から所定の高さに位置させることができる。また、突出部４０の下端が財布１０の底部１２に突き当たるとともに、突出部４０の全体が財布１０の両側面に挟まれることにより、財布１０の内部でコイン収納部３０が回転することを、突出部４０が阻止する。
さらに、突出部４０を、その上端から下端までの間の所定位置で折り曲げたり、あるいは下端側から上端側へ向けて所定位置までクルクルと巻き上げることで、財布１０の底部１２からのコイン収納部３０の高さを調整することができる。
また、本実施形態では、突出部４０は、厚さが１．０ｍｍ程度の合成樹脂製のシートを用いて形成されているため、任意の箇所をはさみ又はカッターで切断可能である。
このため、本実施形態では、突出部４０を、その上端から下端までの間の所定位置で切断することで、財布１０の底部１２からのコイン収納部３０の高さを調整することもできる。
なお、突出部４０を折り曲げる、巻き上げる又は切断する「所定位置」としては、例えば、上下の中間位置、又はコイン収納部３０が財布１０の開口部１１のすぐ下に位置することとなる位置などを挙げることができる。
【００２２】
図２は、財布１０から出したコインケース２０を立てるためのスタンド５０を示している。
このスタンド５０は、コイン収納部３０をその下面側から受けるための受け部５１と、受け部５１の下側に連設され、受け部５１を所定の高さに位置させるように支持するための支持部５２とを備えている。また、受け部５１の底面には、突出部４０を挿通させるためのスリット５３が設けられている。さらに、支持部５２は、その高さが突出部４０の高さ以上に形成されている。
このスタンド５０は、例えば、ＡＢＳ等の硬質の合成樹脂を用いて、射出成型により一体的に形成することができる。
そして、このスタンド５０を用いることにより、コイン収納部３０にコインを収納したままのコインケース２０を財布１０から取り出して、これを立てておくことができる。
【００２３】
（第２実施形態）
本発明の第２実施形態を、図３に基づいて説明する。
コイン収納部３０については、第１実施形態と同様である。
また、突出部４０については、第１実施形態とは異なり、塑性を有する材料を用いて形成されている。そして、突出部４０を、その上端から下端までの間の所定位置で折り曲げることで、財布１０の底部１２からのコイン収納部３０の高さを調整可能であるとともに、調整後の高さを維持可能に形成されている。また、突出部４０は、その上端から下端までの間を蛇腹状に折り曲げられることで伸縮可能に形成されており、突出部４０を伸縮させることで、財布１０の底部１２からのコイン収納部３０の高さを調整可能に形成されている。
【００２４】
以下更に、本実施形態に係るコインケース２０について詳述する。
突出部４０は、厚さが０．５ｍｍ程度の２枚の合成樹脂（塩化ビニール等）製のシートを重ね合わせるとともに、これらの間に金属（スチール又はステンレス等）製の多数のワイヤーを並べて配置し、これらが分離しないように接着剤等で一体化して形成されている。このため、突出部４０は、塑性を有する。
なお、２枚の合成樹脂製のシートの間に、金属製の多数のワイヤーを並べて配置することに代えて、金属製の薄い板を配置してもよい。
また、並列配置した金属製の多数のワイヤー又は金属製の薄い板を内蔵した合成樹脂製のシートを、一体成型により形成してもよい。
また、突出部４０とコイン収納部３０（周面部３１の下面）との接合には、第１実施形態と同様に、接着剤を用いている。
【００２５】
また、図３に示すように、突出部４０は、その上端から下端までの間が、蛇腹状に折り曲げられている。これにより、突出部４０は、伸縮可能とされている。
そして、コインケース２０を財布１０の内部に収納すると、蛇腹状の突出部４０の下端（コイン収納部３０とは反対側の端部）が、財布１０の底部１２に突き当たる。これにより、財布１０の内部において、コイン収納部３０を財布１０の底部１２から所定の高さに位置させることができる。また、突出部４０の下端が財布１０の底部１２に突き当たるとともに、突出部４０の全体が財布１０の両側面に挟まれることにより、財布１０の内部でコイン収納部３０が回転することを、突出部４０が阻止する。
さらに、蛇腹状の突出部４０を伸縮させることにより、財布１０の内部において、財布１０の底部１２からのコイン収納部３０の高さを調整することができる。
すなわち、コイン収納部３０に収納されているコインを取り出す際には、コイン収納部３０を引き上げつつ蛇腹状の突出部４０を伸ばし、財布１０の内部におけるコイン収納部３０の位置を高くする。これにより、コイン収納部３０に収納されているコインを財布１０の開口部１１から取り出しやすくすることができる。また、コインを取り出した後は、コイン収納部３０を押し下げつつ蛇腹状の突出部４０を縮めることで、コイン収納部３０を財布１０の内部に確実に収納することができる。
【００２６】
なお、突出部４０は、塑性を有する場合には、必ずしも蛇腹状に折り曲げておかなくてもよい。例えば、塑性を有する突出部４０を平板状のままにしておく。そして、この塑性を有する平板状の突出部４０を、その上端から下端までの間の所定位置で折り曲げたり、逆に折り曲げたところを伸ばしたりすることで、財布１０の底部１２からのコイン収納部３０の高さを調整可能にすることができ、さらには、調整後の高さを維持可能にすることができる。また、突出部４０を折り曲げる「所定位置」としては、例えば、上下の中間位置、又はコイン収納部３０が財布１０の開口部１１のすぐ下に位置することとなる位置などを挙げることができる。
【００２７】
（他の実施形態）
第１及び第２実施形態では、周面部３１の内部を５枚の仕切板３３で仕切ることにより、コイン収納部３０に、第１〜第６までの６つの収納領域３４を設けたが、これに限られるものではない。
例えば、図４に示すように、周面部３１の内部を２枚の仕切板３３で仕切ることにより、コイン収納部３０に、第１〜第３までの３つの収納領域３４を設けるようにしてもよい。
そして、例えば、第１収納領域３４には１円玉及び５円玉を、第２収納領域３４には１０円玉及び５０円玉を、第３収納領域３４には１００円玉及び５００円玉を、それぞれ収納するようにしてもよい。
【００２８】
第１及び第２実施形態では、周面部３１の両側の上端を、同じ高さにした。
しかし、これに限らず、例えば、図５に示すように、周面部３１の一方の上端を、他方の上端より高くしてもよい。ここで、周面部３１における、端面板３２及び仕切板３３の上端よりも上方に延びる部分を、上方突出片３５とする。
このように、コイン収納部３０に上方突出片３５を設けておき、各収納領域３４に収納されたコインを上方突出片３５に沿って転がすようにして上方へ移動させることにより、各収納領域３４に収納されたコインを取り出しやすくすることができる。
【００２９】
例えば、図６に示すように、各収納領域３４ごとに異なる色彩を付するとともに、突出部４０における、各収納領域３４に対応する部分には、対応する収納領域３４と同一の色彩を付することができる。
さらに、例えば、図６に示すように、突出部４０における、各収納領域３４に対応する部分に、対応する収納領域３４に収納すべきコインの種類を示す絵柄を付することができる。
これにより、いずれのコインをいずれの収納領域３４に収納すればよいかを、わかりやすくすることができる。
【００３０】
第１及び第２実施形態では、端面板３２及び仕切板３３は、周面部３１の長手方向の軸に対して直交するように配置したが、これに限られるものではない。
例えば、図７及び図８に示すように、端面板３２及び仕切板３３は、周面部３１の長手方向の軸に対して傾斜するように配置してもよい。また、周面部３１の長手方向の軸に対する端面板３２及び仕切板３３の傾斜角度は、図７に示すように比較的小さくしたり、図８に示すように比較的大きくするなど、適宜設定することができる。
このように、端面板３２及び仕切板３３を周面部３１の長手方向の軸に対して傾斜して配置することで、十分な枚数のコインを収納可能にしつつ、コイン収納部３０の幅（周面部３１の長手方向と直交する方向の距離）を狭くすることができる。
【符号の説明】
【００３１】
１０  財布
１１  開口部
１２  底部
２０  コインケース
３０  コイン収納部
３１  周面部
３２  端面板
３３  仕切板
３４  収納領域
３５  上方突出片
４０  突出部
５０  スタンド
５１  受け部
５２  支持部
５３  スリット
【要約】
【課題】開口部から底部までの深さが異なる複数種類の財布の内部に収納して使用しても、財布の開口部からコインを取り出しやすく、かつ財布の内部に収納した状態で持ち運んでも、財布の内部で回転しないコインケースを提供する。
【解決手段】コインケース２０は、複数枚のコインを重ね合わせるように並べて収納可能に形成されているコイン収納部３０と、コイン収納部３０の下面から下方へ向けて突出し、財布１０の内部に収納されたコイン収納部３０が財布１０の内部で回転しないようにするとともに、財布１０の内部においてコイン収納部３０を財布１０の底部１２から所定の高さに位置させるための突出部４０とを備える。
【選択図】図１【図１】
0005450878.tif 000002
【図２】
0005450878.tif 000003
【図３】
0005450878.tif 000004
【図４】
0005450878.tif 000005
【図５】
0005450878.tif 000006
【図６】
0005450878.tif 000007
【図７】
0005450878.tif 000008
【図８】
0005450878.tif 000009